(57)【特許請求の範囲】
【請求項１】
インクを吐出するノズルが開口する第１領域と、前記第１領域の一方端に隣接する第２領域と、前記第１領域の他方端に隣接する第３領域とを含むインク吐出面を有する記録ヘッドと、
ワイパーと、
前記ワイパーを前記インク吐出面に接触させた状態で移動させる移動機構と、
前記移動機構に前記ワイパーを移動させる制御部と
を備え、
前記第２領域には、空気に接触したことによって増粘したインクが付着しており、
前記制御部は、前記ワイパーが前記第３領域に押し当てられるように、前記移動機構に前記ワイパーを移動させ、前記ワイパーの先端に残留したインクが前記第３領域に付着され、
前記ノズルは、前記第２領域に付着している前記増粘したインクよりも粘度の低いインクを排出し、
前記ワイパーは、前記インク吐出面に接触した状態で前記第３領域から前記第１領域を経由して、前記第２領域に付着している前記増粘したインクに接触する位置で停止し、前記第２領域に付着している前記増粘したインクを前記ノズルが排出した前記粘度の低いインクによって溶解し、
前記制御部は、前記ワイパーが前記第２領域に押し当てられるように、前記移動機構に前記ワイパーを移動させ、前記ワイパーの先端に残留したインクが前記第２領域に付着され、
前記ノズルは、前記第３領域に付着された前記残留したインクよりも粘度の低いインクを排出し、
前記ワイパーは、前記インク吐出面に接触した状態で前記第２領域から前記第１領域を経由して、前記第３領域に付着している前記残留したインクに接触する位置で停止し、前記第３領域に付着している前記残留したインクを前記ノズルが排出した前記粘度の低いインクによって溶解する、インクジェット記録装置。
【請求項２】
前記制御部は、前記ワイパーが前記インク吐出面に接触した状態で前記第３領域から前記第１領域を経由して前記第２領域に付着した前記増粘したインクの前記第１領域側の端部に接触する位置で停止するように、前記移動機構に前記ワイパーを移動させる、請求項１に記載のインクジェット記録装置。
【請求項３】
前記制御部は、前記ワイパーが前記インク吐出面に接触した状態で前記第３領域から前記第１領域を経由して前記第２領域に付着した前記増粘したインクの中央部に接触する位置で停止するように、前記移動機構に前記ワイパーを移動させる、請求項１に記載のインクジェット記録装置。
【請求項４】
前記制御部は、前記ワイパーが停止した後に、前記ワイパーが前記第２領域の外部に向かうように、前記移動機構に前記ワイパーを移動させる、請求項１から請求項３のいずれか１項に記載のインクジェット記録装置。
【請求項５】
前記制御部は、前記ワイパーが停止した後に、前記ワイパーが前記第３領域の外部に向かうように、前記移動機構に前記ワイパーを移動させる、請求項１から請求項４のいずれか１項に記載のインクジェット記録装置。
【請求項６】
前記第１領域には、複数のノズル形成領域が、前記記録ヘッドの長手方向に沿って形成され、
前記複数のノズル形成領域の各々には、前記ノズルが開口しており、
前記ワイパーの幅は、前記インク吐出面の幅よりも小さく、前記ノズル形成領域よりも大きい、請求項１から請求項５のいずれか１項に記載のインクジェット記録装置。
【発明の詳細な説明】
【技術分野】
【０００１】
本発明は、インクジェット記録装置に関する。
【背景技術】
【０００２】
特許文献１に記載のインクジェット記録装置は、記録ヘッド及びワイパーを備える。記録ヘッドはインク吐出面を有する。インク吐出面は、記録媒体にインクを吐出するノズルが開口する第１領域と、第１領域の一方端に隣接する第２領域と、第１領域の他方端に隣接する第３領域とを含む。ワイパーは、第３領域から第１領域を経由して第２領域まで移動することでインク吐出面に付着したインクを拭き取る。そして、ワイパーは第２領域から離間する。以下、本明細書では、インク吐出面に付着したインクを拭き取ることをワイピングと記載する場合がある。
【０００３】
次回に実行されるワイピングでは、ワイパーは、再び第２領域に接触して、第２領域から第１領域を経由して第３領域まで移動することでインク吐出面に付着したインクを拭き取る。
【先行技術文献】
【特許文献】
【０００４】
【特許文献１】特開２０１３−４９２０５号公報
【発明の概要】
【発明が解決しようとする課題】
【０００５】
しかしながら、ワイパーの第２領域への接触によって、ワイパーの先端に付着している粘度の高いインクが、第２領域に付着及び残留する。従って、ワイピングを繰り返すことによってワイピング開始領域としての第２領域に徐々にインクが堆積する。堆積したインクによって記録媒体が汚染される可能性がある。
【０００６】
本発明は、上記課題に鑑みてなされたものであり、ワイピング開始領域へのインクの残留を抑制できるインクジェット記録装置を提供することを目的としている。
【課題を解決するための手段】
【０００７】
本発明によれば、インクジェット記録装置は、記録ヘッドと、ワイパーと、移動機構と、制御部とを備える。記録ヘッドは、インク吐出面を有する。インク吐出面は、第１領域と、第２領域とを含む。第１領域には、インクを吐出するノズルが開口する。第２領域は、前記第１領域の一方端に隣接する。移動機構は、前記ワイパーを前記インク吐出面に接触させた状態で移動させる。制御部は、前記ワイパーが前記第２領域に付着したインクに接触する位置で停止するように、前記移動機構に前記ワイパーを移動させる。
【発明の効果】
【０００８】
本発明によれば、ワイピング開始領域としての第２領域へのインクの残留を抑制できる。
【図面の簡単な説明】
【０００９】
【図１】本発明の実施形態に係るインクジェット記録装置の構成を示す図である。
【図２】本発明の実施形態に係るインクジェット記録装置のヘッド部を示す図である。
【図３】本発明の実施形態に係るインクジェット記録装置の記録ヘッド及びワイパー部を示す図である。
【図４】（ａ）〜（ｄ）本発明の実施形態に係るインクジェット記録装置のｎ回目のワイピングを示す図である。
【図５】（ａ）〜（ｅ）本発明の実施形態に係るインクジェット記録装置の（ｎ＋１）回目のワイピングを示す図である。
【図６】（ａ）〜（ｅ）本発明の実施形態に係るインクジェット記録装置の（ｎ＋２）回目のワイピングを示す図である。
【図７】本発明の実施形態に係るインクジェット記録装置の記録ヘッドを示す正面図である。
【図８】本発明の実施形態に係るインクジェット記録装置の記録ヘッドを示す側面図である。
【図９】本発明の実施形態に係るインクジェット記録装置のワイパー部を下降させた状態を示す図である。
【図１０】本発明の実施形態に係るインクジェット記録装置のワイパー部を上昇させた状態を示す図である。
【発明を実施するための形態】
【００１０】
以下、本発明の実施形態について、図面を参照しながら説明する。なお、図中、同一または相当部分については同一の参照符号を付して説明を繰り返さない。なお、本実施形態では、Ｘ軸及びＹ軸は水平面に平行であり、Ｚ軸は鉛直線に平行である。
【００１１】
図１及び図２を参照して、本実施形態に係るインクジェット記録装置１について説明する。図１は、インクジェット記録装置１の構成を示す。インクジェット記録装置１は、ヘッド部３、制御部５０、ワイパー部６０、トレイ２００、給送ローラー２０１、第１搬送ユニット２０５、第２搬送ユニット２１２、排出ローラー２１６、及びキャップユニット２９０を備える。
【００１２】
トレイ２００は、第１搬送ユニット２０５よりも記録媒体Ｔの搬送方向Ｐの上流に設けられ、記録媒体Ｔを収容する。トレイ２００の搬送方向Ｐの下流端には、給送ローラー２０１が設けられる。給送ローラー２０１は、トレイ２００に収容された記録媒体Ｔを一枚ずつ第１搬送ユニット２０５へ搬送する。記録媒体Ｔは、例えば、普通紙、コピー紙、再生紙、薄紙、厚紙、若しくは光沢紙のような紙、又はＯＨＰ（Ｏｖｅｒｈｅａｄ  Ｐｒｏｊｅｃｔｏｒ）シートのような合成樹脂製のシートである。
【００１３】
第１搬送ユニット２０５は、第１駆動ローラー２０６と、第１従動ローラー２０７と、第１駆動ローラー２０６及び第１従動ローラー２０７に掛け渡された第１搬送ベルト２０８とを含む。第１駆動ローラー２０６が反時計回りに回転することにより、第１搬送ベルト２０８が回転し、第１搬送ベルト２０８に保持された記録媒体Ｔが搬送方向Ｐに搬送される。
【００１４】
ヘッド部３は、第１搬送ユニット２０５に対向して配置される。ヘッド部３は、ヘッドハウジング１８、及びヘッドハウジング１８に保持されたラインヘッド１０Ｋ、１０Ｃ、１０Ｍ、１０Ｙを含む。図２は、ヘッド部３を示す。ラインヘッド１０Ｋ、１０Ｃ、１０Ｍ、１０Ｙは、それぞれ、ブラック色のインク、シアン色のインク、マゼンダ色のインク、及びイエロー色のインクを吐出又は排出する。ラインヘッド１０Ｋ〜１０Ｙは、記録媒体の搬送方向Ｐに沿って配置される。ラインヘッド１０Ｋ〜１０Ｙの各々は、搬送方向Ｐに直交する方向に沿って千鳥状に配置される３個の記録ヘッド１０を含む。
【００１５】
図１に示すように、第２搬送ユニット２１２は、第１搬送ユニット２０５よりも搬送方向Ｐの下流に配置されている。第２搬送ユニット２１２は、第２駆動ローラー２１３と、第２従動ローラー２１４と、第２駆動ローラー２１３及び第２従動ローラー２１４に掛け渡された第２搬送ベルト２１５とを含む。第２駆動ローラー２１３が反時計回りに回転されることにより、第２搬送ベルト２１５が回転し、第２搬送ベルト２１５に保持された記録媒体Ｔが搬送方向Ｐに搬送される。
【００１６】
ヘッド部３によって画像が記録された記録媒体Ｔは第２搬送ユニット２１２へ送られ、第２搬送ユニット２１２を通過する間に記録媒体Ｔの表面に吐出されたインクが乾燥する。第２搬送ユニット２１２の下方にはワイパー部６０及びキャップユニット２９０が位置されている。
【００１７】
制御部５０は、ワイパー部６０にラインヘッド１０Ｋ〜１０Ｙのインク吐出面に付着したインクを拭き取らせる際に、つまり、ワイピングを実行する際に、第１搬送ユニット２０５を下降させる。そして、制御部５０は、第２搬送ユニット２１２の下方に位置されたワイパー部６０を水平移動させて、ヘッド部３の下方に位置させる。その結果、ワイパー部６０は、ヘッド部３と第１搬送ユニット２０５との間に位置する。ワイパー部６０は、ラインヘッド１０Ｋ〜１０Ｙに付着したインクを拭き取り、拭き取られたインクを回収する。
【００１８】
制御部５０は、ラインヘッド１０Ｋ〜１０Ｙのインク吐出面をキャッピングする際に、キャップユニット２９０を水平移動させてヘッド部３の下方に位置させる。さらに、制御部５０は、キャップユニット２９０を上方に移動させる。その結果、キャップユニット２９０は、ラインヘッド１０Ｋ〜１０Ｙのインク吐出面に装着される。
【００１９】
排出ローラー対２１６は、第２搬送ユニット２１２よりも搬送方向Ｐの下流に配置され、画像が記録された記録媒体Ｔをインクジェット記録装置１の外部に排出する。
【００２０】
図３を参照して、記録ヘッド１０及びワイパー部６０について説明する。図３は、記録ヘッド１０及びワイパー部６０を示す。ワイパー部６０は、ワイパー２０及び移動機構３０を含む。
【００２１】
記録ヘッド１０は、インク吐出面１７を有する。インク吐出面１７は、第１領域Ａ１と、第２領域Ａ２と、第３領域Ａ３とを含む。第２領域Ａ２は、第１領域Ａ１の一方端に隣接する。第３領域Ａ３は、第１領域Ａ１の他方端に隣接する。第１領域Ａ１には、インクを吐出する多数のノズル１１が開口している。
【００２２】
ノズル１１は、画像形成処理において、記録媒体Ｔに画像を形成するためのインクを吐出する。ノズル１１は、パージ処理において、記録ヘッド１０内の不要物と共にインクＮｆを排出する。インクＮｆは密閉空間に収容されている。従って、インクＮｆに含有される揮発成分の蒸発が抑制される。揮発成分は、外気に触れると蒸発する。その結果、ノズル１１から排出されるインクＮｆは、空気に触れていた残留インクと比較して粘度が低い。
【００２３】
制御部５０は、移動機構３０にワイパー２０を移動させる。移動機構３０は、制御部５０に制御されて、ワイパー２０を移動させる。具体的には、移動機構３０は、上昇方向Ｄ１にワイパー２０を上昇させることができ、ワイピング方向Ｄ３又はワイピング方向Ｄ４にワイパー２０を移動させることができ、下降方向Ｄ２にワイパー２０を下降させることができる。
【００２４】
本実施形態では、上昇方向Ｄ１及び下降方向Ｄ２は、Ｚ軸に沿っており、インク吐出面１７に直交している。上昇方向Ｄ１及び下降方向Ｄ２を総称して上下方向と記載する場合もある。ワイピング方向Ｄ３及びワイピング方向Ｄ４は、Ｘ軸に沿っており、インク吐出面１７に沿っている。ワイピング方向Ｄ３は、第３領域Ａ３から第１領域Ａ１を経由して第２領域Ａ２の外部に向かう方向であり、ワイピング方向Ｄ３は、Ｘ軸の正方向である。ワイピング方向Ｄ４は、第２領域Ａ２から第１領域Ａ１を経由して第３領域Ａ３の外部に向かう方向であり、ワイピング方向Ｄ４は、Ｘ軸の負方向である。
【００２５】
移動機構３０は、ワイパー２０をインク吐出面１７に接触させた状態でインク吐出面１７に沿って、ワイピング方向Ｄ３又はワイピング方向Ｄ４に移動させる。従って、ワイパー２０は、ノズル１１から吐出されたインク又はノズル１１から排出されインク吐出面１７に付着したインクＮｆを拭き取ることができる。また、ワイパー２０は、インク吐出面１７に付着した不要物も拭き取る。ワイパー２０は、弾性を有し、平板状である。ワイパー２０は、例えば、合成ゴム（例えば、ＥＰＤＭ（ｅｔｈｙｌｅｎｅ−ｐｒｏｐｙｌｅｎｅ−ｄｉｅｎｅ  ｔｅｒｐｏｌｙｍｅｒ））、又は合成樹脂により形成される。
【００２６】
次に、図３〜図６を参照して、ワイパー２０の動作について説明する。図４（ａ）〜図４（ｄ）は、ｎ回目のワイピングを示す。ｎは２以上の整数である。ワイパー２０は、制御部５０に制御されて駆動する移動機構３０によって、次のように動作する。
【００２７】
すなわち、図４（ａ）に示すように、ワイピングを開始する前のワイパー２０の先端にはインクＮｖが付着している。インクＮｖは、前回に実行されたワイピングでワイパー２０の先端に残留したインクであり、空気に接触したことによって増粘している。以下、増粘した粘度の高いインクに参照符号Ｎｖを付す。
【００２８】
ワイパー２０は、ワイピング方向Ｄ４へのワイピングの待機位置から、ワイピング開始領域としての第２領域Ａ２に向かって上昇方向Ｄ１に上昇する。そして、ワイパー２０の先端が第２領域Ａ２に押し当てられ、ワイパー２０は上昇を停止する。その結果、インクＮｖが第２領域Ａ２に付着する。なお、ワイピング方向Ｄ４へのワイピングの待機位置は、第２領域Ａ２の直下の位置である。
【００２９】
図４（ｂ）に示すように、ノズル１１はインクＮｆを排出するため、インクＮｆは第１領域Ａ１に残留する。インクＮｆの粘度は、ワイパー２０の先端に付着したインクＮｖの粘度より低い。ワイパー２０は、上下方向の位置を一定に維持したまま、第２領域Ａ２から第３領域Ａ３に向かってワイピング方向Ｄ４に移動する。その結果、ワイパー２０によって第１領域Ａ１に残留したインクＮｆが拭き取られる。
【００３０】
図４（ｃ）に示すように、ワイパー２０は、ワイピング方向Ｄ４に第３領域Ａ３の外側端部を通過するまで移動する。図４（ｄ）に示すように、ワイパー２０は、第３領域Ａ３の外側端部を通過した後、下降方向Ｄ２に下降する。そして、ワイパー２０は、ワイピング方向Ｄ３へのワイピングの待機位置に戻り、ｎ回目のワイピングを終了する。なお、ワイピング方向Ｄ３へのワイピングの待機位置は、第３領域Ａ３の直下の位置である。
【００３１】
図５（ａ）〜図５（ｅ）は、（ｎ＋１）回目のワイピングを示す。図５（ａ）に示すように、ワイパー２０の先端には、インクＮｖが付着している。図４（ｄ）を参照して説明したワイパー２０の先端に付着していたインクＮｆは、空気に接触したことによって増粘し、インクＮｆはインクＮｖに変化する。従って、図５（ａ）に示すワイパー２０の先端には、インクＮｖが付着している。第２領域Ａ２には、インクＮｖが付着している。
【００３２】
図５（ａ）に示すように、ワイパー２０は、待機位置からワイピング開始領域としての第３領域Ａ３に向かって上昇方向Ｄ１に上昇する。そして、ワイパー２０の先端が第３領域Ａ３に押し当てられ、ワイパー２０は上昇を停止する。その結果、インクＮｖが第３領域Ａ３に付着する。
【００３３】
図５（ｂ）に示すように、ノズル１１はインクＮｆを排出する。ワイパー２０は、上下方向の位置を一定に維持したまま、第３領域Ａ３から第２領域Ａ２に向かってワイピング方向Ｄ３に移動する。その結果、ワイパー２０によって第１領域Ａ１に残留したインクＮｆが拭き取られる。
【００３４】
図５（ｃ）に示すように、ワイパー２０は、粘度の低いインクＮｆを伴ってワイピング方向Ｄ３に移動して、第２領域Ａ２に付着したインクＮｖの第１領域Ａ１側の端部Ｐｅに接触する位置で一定時間の間停止する。ワイパー２０の先端に付着したインクＮｆはインクＮｖと比較して粘度が低いため、第２領域Ａ２に付着した粘度の高いインクＮｖがインクＮｆによって溶解される。なお、図５（ｃ）では、インクＮｆによって溶解されたインクＮｖが破線で示される。端部Ｐｅは、インクＮｖのワイピング方向Ｄ３に沿った端部である。
【００３５】
図５（ｄ）に示すように、ワイパー２０は、端部Ｐｅで一定時間の間停止した後に、上下方向の位置を一定に維持したまま、再びワイピング方向Ｄ３に移動し、第２領域Ａ２の外側端部を通過するまで移動する。第２領域Ａ２に付着したインクＮｖは溶解されているため、ワイパー２０はインクＮｖを容易に拭き取ることができる。従って、ワイピング開始領域としての第２領域Ａ２へのインクＮｖの堆積を抑制できる。その結果、堆積したインクによる記録媒体Ｔの汚染を抑制できる。
【００３６】
図５（ｅ）に示すように、ワイパー２０は、第２領域Ａ２の外側端部を通過した後、下降方向Ｄ２に下降する。そして、ワイパー２０は、ワイピング方向Ｄ４へのワイピングの待機位置に戻り、（ｎ＋１）回目のワイピングを終了する。
【００３７】
図６（ａ）〜図６（ｅ）は、（ｎ＋２）回目のワイピングを示す。図６（ａ）に示すように、ワイパー２０の先端には、インクＮｖが付着している。図５（ｅ）を参照して説明したワイパー２０の先端に付着していたインクＮｆは、空気に接触したことによって増粘し、インクＮｆはインクＮｖに変化する。従って、図６（ａ）に示すワイパー２０の先端には、インクＮｖが付着している。第３領域Ａ３には、インクＮｖが付着している。
【００３８】
図６（ａ）に示すように、ワイパー２０は、待機位置からワイピング開始領域としての第２領域Ａ２に向かって上昇方向Ｄ１に上昇する。そして、ワイパー２０の先端が第２領域Ａ２に押し当てられ、ワイパー２０は上昇を停止する。その結果、インクＮｖが第２領域Ａ２に付着する。
【００３９】
図６（ｂ）に示すように、ノズル１１はインクＮｆを排出する。ワイパー２０は、上下方向の位置を一定に維持したまま、第２領域Ａ２から第３領域Ａ３に向かってワイピング方向Ｄ４に移動する。その結果、ワイパー２０によって第１領域Ａ１に残留したインクＮｆが拭き取られる。
【００４０】
図６（ｃ）に示すように、ワイパー２０は、粘度の低いインクＮｆを伴ってワイピング方向Ｄ４に移動して、第３領域Ａ３に付着したインクＮｖの第１領域Ａ１側の端部Ｐｅに接触する位置で一定時間の間停止する。ワイパー２０の先端に付着したインクＮｆはインクＮｖと比較して粘度が低いため、第３領域Ａ３に付着した粘度の高いインクＮｖがインクＮｆによって溶解される。なお、図６（ｃ）では、インクＮｆによって溶解されたインクＮｖが破線で示される。端部Ｐｅは、インクＮｖのワイピング方向Ｄ４に沿った端部である。
【００４１】
図６（ｄ）に示すように、ワイパー２０は、端部Ｐｅで一定時間の間停止した後に、上下方向の位置を一定に維持したまま、再びワイピング方向Ｄ４に移動し、第３領域Ａ３の外側端部を通過するまで移動する。第３領域Ａ３に付着したインクＮｖは溶解されているため、ワイパー２０はインクＮｖを容易に拭き取ることができる。従って、ワイピング開始領域としての第３領域Ａ３へのインクＮｖの堆積を抑制できる。その結果、堆積したインクによる記録媒体Ｔの汚染を抑制できる。
【００４２】
図６（ｅ）に示すように、ワイパー２０は、第３領域Ａ３の外側端部を通過した後、下降方向Ｄ２に下降する。そして、ワイパー２０は、ワイピング方向Ｄ３へのワイピングの待機位置に戻り、（ｎ＋２）回目のワイピングを終了する。
【００４３】
以上、本実施形態によれば、図５（ｃ）を参照して説明したように、ワイパー２０は、第１領域Ａ１で拭き取った粘度の低いインクＮｆを伴って、第２領域Ａ２に付着したインクＮｖに接触する位置で停止する。従って、インクＮｖはインクＮｆによって溶解され、粘度が低くなる。その結果、第２領域Ａ２に残留したインクＮｖを容易に拭き取ることができ、ワイピング開始領域としての第２領域Ａ２へのインクＮｖの残留を抑制できる。また、ワイパー２０を停止させる制御によって、簡易な構成により、第２領域Ａ２へのインクＮｖの残留を抑制できる。
【００４４】
加えて、図６（ｃ）を参照して説明したように、ワイパー２０は、第１領域Ａ１で拭き取った粘度の低いインクＮｆを伴って、第３領域Ａ３に付着したインクＮｖに接触する位置で停止する。従って、インクＮｖはインクＮｆによって溶解され、粘度が低くなる。その結果、第３領域Ａ３に残留したインクＮｖを容易に拭き取ることができ、ワイピング開始領域としての第３領域Ａ３へのインクＮｖの残留を抑制できる。また、ワイパー２０を停止させる制御によって、簡易な構成により、第３領域Ａ３へのインクＮｖの残留を抑制できる。
【００４５】
すなわち、図５（ｃ）及び図６（ｃ）を参照して説明したように、ワイピング開始領域としての第２領域Ａ２及び第３領域Ａ３の双方において、インクＮｖの残留を抑制できる。従って、堆積したインクによる記録媒体Ｔの汚染を効果的に抑制できる。
【００４６】
また、本実施形態によれば、図３及び図５（ｄ）を参照して説明したように、制御部５０は、ワイパー２０が第２領域Ａ２で一定時間の間停止した後に、ワイパー２０が第２領域Ａ２の外部に向かうように、移動機構３０にワイパー２０をワイピング方向Ｄ３に移動させる。従って、インクＮｆによって第２領域Ａ２に付着したインクＮｖが溶解された後、ワイパー２０は、第２領域Ａ２からインクＮｖを容易に除去できる。同様に、図６（ｄ）を参照して説明したように、制御部５０は、ワイパー２０が第３領域Ａ３で一定時間の間停止した後に、ワイパー２０が第３領域Ａ３の外部に向かうように、移動機構３０にワイパー２０をワイピング方向Ｄ４に移動させる。従って、ワイパー２０は、第３領域Ａ３からインクＮｖを容易に除去できる。
【００４７】
さらに、本実施形態によれば、図３及び図５（ｃ）を参照して説明したように、制御部５０は、ワイパー２０がインク吐出面１７に接触した状態で第３領域Ａ３から第１領域Ａ１を経由して第２領域Ａ２に付着したインクＮｖの第１領域Ａ１側の端部Ｐｅに接触する位置で停止するように、移動機構３０にワイパー２０を移動させる。従って、図５（ｄ）に示すように、ワイパー２０は、停止位置からワイピング方向Ｄ３に移動することにより、溶解されたインクＮｖの大部分を第２領域Ａ２から除去できる。同様に、図６（ｃ）及び図６（ｄ）を参照して説明したように、ワイパー２０は、溶解されたインクＮｖの大部分を第３領域Ａ３から除去できる。
【００４８】
さらに、本実施形態によれば、制御部５０は、ワイパー２０が記録ヘッド１０に対して上昇又は下降するように、移動機構３０にワイパー２０を移動させる（図４（ａ）、図４（ｄ）、図５（ａ）、図５（ｅ）、図６（ａ）及び図６（ｅ））。従って、移動機構３０は、ワイパー２０をインク吐出面１７に接触させつつ移動させることもできるし、ワイパー２０をインク吐出面１７に接触させずにワイピング方向Ｄ３又はワイピング方向Ｄ４に移動させることもできる。
【００４９】
次に、図７及び図８を参照して記録ヘッド１０について説明する。図７は、記録ヘッド１０の正面を示す。記録ヘッド１０のインク吐出面１７は矩形状である。インク吐出面１７の第１領域Ａ１には、複数のノズル形成領域１２が、記録ヘッド１０の長手方向に沿って千鳥状に形成される。記録ヘッド１０の長手方向はＸ軸に沿っている。台形状のノズル形成領域１２の各々には、複数のノズル１１が開口している。図７では、ワイパー２０は第３領域Ａ３の直下の待機位置に配置されている。ワイパー２０の幅は、インク吐出面１７の幅よりも大きい。なお、ワイパー２０の幅は、インク吐出面１７の幅と同一でもよいし、ワイパー２０がノズル形成領域１２を包含できる大きさであれば、インク吐出面１７の幅よりも小さくてもよい。
【００５０】
図８は、記録ヘッド１０の側面を示す。記録ヘッド１０は、流入口１３及び流出口１５を有する。画像形成処理時又はパージ処理時に、不図示のタンクから流入口１３に流入したインクは、記録ヘッド１０の内部に流入し、流出口１５から流出する。記録ヘッド１０の内部に流入したインクは、画像形成処理時にノズル１１から吐出され、又はパージ処理時にノズル１１から排出される。本実施形態では、ワイパー２０は、パージ処理でノズル１１から排出され、インク吐出面１７に付着したインクＮｆを用いてワイピングを実行する。
【００５１】
次に、図９及び図１０を参照してワイパー部６０について説明する。図９は、ワイパー部６０を下降させた状態を示す。制御部５０はワイパー部６０を制御する。制御部５０は、ワイピングを実行する際には、ワイパー部６０を、ラインヘッド１０Ｋ、１０Ｃ、１０Ｍ、１０Ｙに対向するように移動させる。なお、図９では、ラインヘッド１０Ｋが備える３個の記録ヘッド１０に対応する３個のワイパー２０のみが表れている。
【００５２】
ワイパー部６０の移動機構３０は、キャリッジ３１、キャリッジ３１を支持する支持フレーム３５、コロ３６、ギャップコロ３７、昇降部材３８、及び底部３９を含む。
【００５３】
昇降部材３８の各々は、リフト部材３８ａ及びシャフト３８ｂを含む。制御部５０は、駆動源（例えば、モーター）を駆動して、ワイピング方向Ｄ３の上流に配置される昇降部材３８のシャフト３８ｂを時計回りに回転させ、ワイピング方向Ｄ３の下流に配置される昇降部材３８のシャフト３８ｂを反時計回りに回転させる。すると、倒伏したリフト部材３８ａが底部３９から起立する。その結果、図１０に示すように、支持フレーム３５と共にキャリッジ３１、コロ３６、ギャップコロ３７、及びワイパー２０が上昇する。
【００５４】
図１０は、ワイパー部６０を上昇させた状態を示す。ギャップコロ３７は、ヘッドハウジング１８に当接することで、上昇してインク吐出面１７に押し当てられたワイパー２０の上下方向の位置を一定に保持する。キャリッジ３１は、支持フレーム３５に対して、コロ３６を介して移動可能に係合する。キャリッジ３１がワイピング方向Ｄ３又はワイピング方向Ｄ４に移動することによって、ワイパー２０もワイピング方向Ｄ３又はワイピング方向Ｄ４に移動する。
【００５５】
なお、ラインヘッド１０Ｃ、１０Ｍ、１０Ｙの各々に対する３個のワイパー２０は、移動機構３０によって、ラインヘッド１０Ｋに対する３個のワイパー２０と同じ動作をする。
【００５６】
以上、図面を参照しながら本発明の実施形態について説明した。但し、本発明は、上記の実施形態に限られるものではなく、その要旨を逸脱しない範囲で種々の態様において実施することが可能である（例えば、下記に示す（１）〜（３））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【００５７】
（１）図３、図５及び図６を参照して説明したように、制御部５０は、ワイパー２０が第２領域Ａ２又は第３領域Ａ３に付着したインクＮｖの端部Ｐｅに接触する位置で停止するように、移動機構３０にワイパー２０を移動させた。ただし、停止位置はこれに限定されず、制御部５０は、ワイパー２０がインク吐出面１７に接触した状態で第２領域Ａ２から第１領域Ａ１を経由して第３領域Ａ３に付着したインクＮｖに接触する位置で停止するように、移動機構３０にワイパー２０を移動させる。また、制御部５０は、ワイパー２０が第２領域Ａ２又は第３領域Ａ３に付着したインクＮｖに接触する位置で停止するように、移動機構３０にワイパー２０を移動させる。
【００５８】
例えば、図３及び図５（ｃ）に示すように、制御部５０は、ワイパー２０がインク吐出面１７に接触した状態で第３領域Ａ３から第１領域Ａ１を経由して第２領域Ａ２に付着したインクＮｖの中央部Ｐｃに接触する位置で停止するように、移動機構３０にワイパー２０を移動させてもよい。中央部Ｐｃは、インクＮｖのワイピング方向Ｄ３に沿った中央部である。また、図６（ｃ）に示すように、制御部５０は、ワイパー２０が第３領域Ａ３に付着したインクＮｖの中央部Ｐｃに接触する位置で停止するように、移動機構３０にワイパー２０を移動させてもよい。中央部Ｐｃは、インクＮｖのワイピング方向Ｄ４に沿った中央部である。
【００５９】
（２）図２を参照して説明したように、ヘッド部３は、４色のラインヘッド１０Ｋ〜１０Ｙを含むが、ヘッド部３は、単色のラインヘッドを含んでもよいし、４色以外の複数色のラインヘッドを含んでもよい。
【００６０】
（３）図２を参照して説明したように、１色に対して３個の記録ヘッド１０が用意されるが、１色に対して、単一の記録ヘッド１０が用意されてもよいし、３個以外の複数の記録ヘッド１０が用意されてもよい。
【産業上の利用可能性】
【００６１】
本発明は、インクジェット記録装置の分野に利用可能である。
【符号の説明】
【００６２】
１      インクジェット記録装置
１０    記録ヘッド
１１    ノズル
２０    ワイパー
３０    移動機構
５０    制御部
Ａ１    第１領域
Ａ２    第２領域
Ａ３    第３領域
Ｎｖ    インク
Ｎｆ    インク
Ｐｅ    端部
Ｐｃ    中央部
【図１】
0006295882.tif 000002
【図２】
0006295882.tif 000003
【図３】
0006295882.tif 000004
【図４】
0006295882.tif 000005
【図５】
0006295882.tif 000006
【図６】
0006295882.tif 000007
【図７】
0006295882.tif 000008
【図８】
0006295882.tif 000009
【図９】
0006295882.tif 000010
【図１０】
0006295882.tif 000011